(57)【要約】【課題】検査の結果得られる詳細な内容を確実且つ簡易に回収して後日活用する。【解決手段】外部装置を接続するためのＵＳＢ−Ｉ／Ｆ32及びＵＳＢコネクタ36と、ＵＳＢコネクタ36に当該機器の機種に対応した特定の検査用プログラムを記憶した外部メモリ装置(40)が接続されたことを判断し、その判断時に外部メモリ装置(40)から検査用プログラムを読出し、読出した検査用プログラムを実行して検査結果データと当該機器個体の誤差を補正するキャリブレーションデータとを取得し、取得した検査結果データとキャリブレーションデータとを関連付けてデータファイル化し、ＵＳＢコネクタ36を介して外部メモリ装置(40)に転送して記憶させるＣＰＵ28及びプログラムメモリ29とを備える。【選択図】      図１
2008275472.tif 000002
【特許請求の範囲】
【請求項１】
外部装置を接続可能な接続手段と、
上記接続手段に当該機器の機種に対応した検査用プログラムを記憶した外部メモリ装置が接続されたことを判断する判断手段と、
上記判断手段で上記外部メモリ装置が接続されたと判断した場合に、外部メモリ装置から検査用プログラムを読出し、読出した検査用プログラムを実行して検査結果データと当該機器個体の誤差を補正するキャリブレーションデータとを取得する検査手段と、
上記検査手段で取得した検査結果データとキャリブレーションデータとを関連付け、上記接続手段を介して上記外部メモリ装置に転送して記憶させる出力手段と
を具備したことを特徴とする電子機器。
【請求項２】
外部装置を接続可能な接続手段を備えた電子機器に接続する外部メモリ装置であって、
上記電子機器の機種に対応した検査用プログラムを記憶した領域、及び上記電子機器の接続手段に接続され、上記検査用プログラムが電子機器側に読出されて検査が実行された結果、上記接続手段を介して送られてくる、検査結果データと機器個体の誤差を補正するキャリブレーションデータとが関連付けられたデータを記憶する複数の領域を有する記憶手段と、
上記電子機器の接続手段との接続時に上記記憶手段と電子機器間での上記検査用プログラム、及び上記データの送受を制御する制御手段と
を具備したことを特徴とする外部メモリ装置。
【請求項３】
外部装置を接続可能な接続手段と、
当該機器の機種に対応した検査用プログラムを記憶する記憶手段と、
上記接続手段に識別情報を記憶した外部メモリ装置が接続されたことを判断する判断手段と、
上記判断手段で上記外部メモリ装置が接続されたと判断した場合に、上記記憶手段から検査用プログラムを読出し、読出した検査用プログラムを実行して検査結果データと当該機器個体の誤差を補正するキャリブレーションデータとを取得する検査手段と、
上記検査手段で取得した検査結果データとキャリブレーションデータとを関連付け、上記接続手段を介して上記外部メモリ装置に転送して記憶させる出力手段と
を具備したことを特徴とする電子機器。
【請求項４】
上記キャリブレーションデータは、画像を生成するためのＲＧＢ各原色成分の画像の階調調整、電子機器の姿勢角度を検出する加速度センサのオフセット値を含むことを特徴とする請求項１または３記載の電子機器。
【請求項５】
外部装置を接続可能な接続手段を備えた電子機器の検査方法であって、
上記接続手段に当該機器の機種に対応した検査用プログラムを記憶した外部メモリ装置が接続されたことを判断する判断工程と、
上記判断工程で上記外部メモリ装置が接続されたと判断した場合に、外部メモリ装置から検査用プログラムを読出し、読出した検査用プログラムを実行して検査結果データと当該機器個体の誤差を補正するキャリブレーションデータとを取得する検査工程と、
上記検査工程で取得した検査結果データとキャリブレーションデータとを関連付け、上記接続手段を介して上記外部メモリ装置に転送して記憶させる出力工程と
を有したことを特徴とする電子機器の検査方法。
【請求項６】
外部装置を接続可能な接続手段を備えた電子機器の検査方法であって、
上記接続手段に識別情報を記憶した外部メモリ装置が接続されたことを判断する判断工程と、
上記判断工程で上記外部メモリ装置が接続されたと判断した場合に、予め記憶していた当該機器の機種に対応した検査用プログラムを読出し、読出した検査用プログラムを実行して検査結果データと当該機器個体の誤差を補正するキャリブレーションデータとを取得する検査工程と、
上記検査工程で取得した検査結果データとキャリブレーションデータとを関連付け、上記接続手段を介して上記外部メモリ装置に転送して記憶させる出力工程と
を有したことを特徴とする電子機器の検査方法。
【請求項７】
外部装置を接続可能な接続手段を備えた電子機器に内蔵されたコンピュータが実行するプログラムであって、
上記接続手段に当該機器の機種に対応した検査用プログラムを記憶した外部メモリ装置が接続されたことを判断する判断ステップと、
上記判断ステップで上記外部メモリ装置が接続されたと判断した場合に、外部メモリ装置から検査用プログラムを読出し、読出した検査用プログラムを実行して検査結果データと当該機器個体の誤差を補正するキャリブレーションデータとを取得する検査ステップと、
上記検査ステップで取得した検査結果データとキャリブレーションデータとを関連付け、上記接続手段を介して上記外部メモリ装置に転送して記憶させる出力ステップと
をコンピュータに実行させることを特徴とするプログラム。
【請求項８】
外部装置を接続可能な接続手段を備えた電子機器に内蔵されたコンピュータが実行するプログラムであって、
上記接続手段に識別情報を記憶した外部メモリ装置が接続されたことを判断する判断ステップと、
上記判断ステップで上記外部メモリ装置が接続されたと判断した場合に、予め記憶していた当該機器の機種に対応した検査用プログラムを読出し、読出した検査用プログラムを実行して検査結果データと当該機器個体の誤差を補正するキャリブレーションデータとを取得する検査ステップと、
上記検査ステップで取得した検査結果データとキャリブレーションデータとを関連付け、上記接続手段を介して上記外部メモリ装置に転送して記憶させる出力ステップと
をコンピュータに実行させることを特徴とするプログラム。
【発明の詳細な説明】
【技術分野】
【０００１】
本発明は、例えばＵＳＢ端子を備えたコンピュータ周辺機器等に好適な電子機器、外部メモリ装置、電子機器の検査方法及びプログラムに関する。
【背景技術】
【０００２】
従来、多品種、少量の電子回路基板の検査においても、共通の検査システムを用いて検査を容易且つ低コストに自動化することを目的として、例えば以下に示す特許文献のような技術が考えられている。（特許文献１）
この特許文献１では、電子回路基板としての被検査基板の画像メモリから出力された画像データを検査装置のＦＩＦＯメモリに１画面分取り込む。同検査装置側のメモリカードからＲＯＭの転送プログラムによってメインメモリにロードされた検査プログラムにしたがって、ＦＩＦＯメモリから読出された画像データと、画像メモリに格納されている画像データとを１画素単位で比較する。比較の結果、両データが一致していないとき、検査を停止する。
【０００３】
これにより、表示制御回路などの動作不良によって被検査基板から出力されるデータの異常が確認され、その被検査基板が不良品であることが自動的に判定できる。検査プログラムは、検査装置に対して着脱自在なメモリカードで供給することによって容易に交換が可能となる。
【特許文献１】特開２００２−０１４１４３号公報
【発明の開示】
【発明が解決しようとする課題】
【０００４】
上記特許文献１に記載された技術は、上述した如く、検査の結果、両データが一致しないときに検査を停止することで、当該被検査基板から出力されるデータの異常が確認され、その被検査基板が不良品であることが自動的に判定できる。したがって、不良品であると判定した被検査基板を検査ライン等から外す、などの処置を簡単にとることができるようになる。
【０００５】
その一方で、上記特許文献１の技術では、被検査対象が不良品であるか否かをその場で判定できるのみであり、検査には合格しているものの、その誤差の範囲を把握しておく必要がある検査や、個体差の大きな例えば光学系部品を有するような被検査対象で必ずキャリブレーション（誤差の補正）を実行しなければならないような検査等には対応することができず、不適である。
【０００６】
本発明は上記のような実情に鑑みてなされたもので、その目的とするところは、検査の結果得られる詳細な内容を確実且つ簡易に回収して後日活用することが可能な電子機器、外部メモリ装置、電子機器の検査方法及びプログラムを提供することにある。
【課題を解決するための手段】
【０００７】
請求項１記載の発明は、外部装置を接続可能な接続手段と、上記接続手段に当該機器の機種に対応した検査用プログラムを記憶した外部メモリ装置が接続されたことを判断する判断手段と、上記判断手段で上記外部メモリ装置が接続されたと判断した場合に、外部メモリ装置から検査用プログラムを読出し、読出した検査用プログラムを実行して検査結果データと当該機器個体の誤差を補正するキャリブレーションデータとを取得する検査手段と、上記検査手段で取得した検査結果データとキャリブレーションデータとを関連付け、上記接続手段を介して上記外部メモリ装置に転送して記憶させる出力手段とを具備したことを特徴とする。
【０００８】
請求項２記載の発明は、外部装置を接続可能な接続手段を備えた電子機器に接続する外部メモリ装置であって、上記電子機器の機種に対応した検査用プログラムを記憶した領域、及び上記電子機器の接続手段に接続され、上記検査用プログラムが電子機器側に読出されて検査が実行された結果、上記接続手段を介して送られてくる、検査結果データと機器個体の誤差を補正するキャリブレーションデータとが関連付けられたデータを記憶する複数の領域を有する記憶手段と、上記電子機器の接続手段との接続時に上記記憶手段と電子機器間での上記検査用プログラム、及び上記データの送受を制御する制御手段とを具備したことを特徴とする。
【０００９】
請求項３記載の発明は、外部装置を接続可能な接続手段と、当該機器の機種に対応した検査用プログラムを記憶する記憶手段と、上記接続手段に識別情報を記憶した外部メモリ装置が接続されたことを判断する判断手段と、上記判断手段で上記外部メモリ装置が接続されたと判断した場合に、上記記憶手段から検査用プログラムを読出し、読出した検査用プログラムを実行して検査結果データと当該機器個体の誤差を補正するキャリブレーションデータとを取得する検査手段と、上記検査手段で取得した検査結果データとキャリブレーションデータとを関連付け、上記接続手段を介して上記外部メモリ装置に転送して記憶させる出力手段とを具備したことを特徴とする。
【００１０】
請求項４記載の発明は、上記請求項１または３記載の発明において、上記キャリブレーションデータは、画像を生成するためのＲＧＢ各原色成分の画像の階調調整、電子機器の姿勢角度を検出する加速度センサのオフセット値を含むことを特徴とする。
【００１１】
請求項５記載の発明は、外部装置を接続可能な接続手段を備えた電子機器の検査方法であって、上記接続手段に当該機器の機種に対応した検査用プログラムを記憶した外部メモリ装置が接続されたことを判断する判断工程と、上記判断工程で上記外部メモリ装置が接続されたと判断した場合に、外部メモリ装置から検査用プログラムを読出し、読出した検査用プログラムを実行して検査結果データと当該機器個体の誤差を補正するキャリブレーションデータとを取得する検査工程と、上記検査工程で取得した検査結果データとキャリブレーションデータとを関連付け、上記接続手段を介して上記外部メモリ装置に転送して記憶させる出力工程とを有したことを特徴とする。
【００１２】
請求項６記載の発明は、外部装置を接続可能な接続手段を備えた電子機器の検査方法であって、上記接続手段に識別情報を記憶した外部メモリ装置が接続されたことを判断する判断工程と、上記判断工程で上記外部メモリ装置が接続されたと判断した場合に、予め記憶していた当該機器の機種に対応した検査用プログラムを読出し、読出した検査用プログラムを実行して検査結果データと当該機器個体の誤差を補正するキャリブレーションデータとを取得する検査工程と、上記検査工程で取得した検査結果データとキャリブレーションデータとを関連付け、上記接続手段を介して上記外部メモリ装置に転送して記憶させる出力工程とを有したことを特徴とする。
【００１３】
請求項７記載の発明は、外部装置を接続可能な接続手段を備えた電子機器に内蔵されたコンピュータが実行するプログラムであって、上記接続手段に当該機器の機種に対応した検査用プログラムを記憶した外部メモリ装置が接続されたことを判断する判断ステップと、上記判断ステップで上記外部メモリ装置が接続されたと判断した場合に、外部メモリ装置から検査用プログラムを読出し、読出した検査用プログラムを実行して検査結果データと当該機器個体の誤差を補正するキャリブレーションデータとを取得する検査ステップと、上記検査ステップで取得した検査結果データとキャリブレーションデータとを関連付け、上記接続手段を介して上記外部メモリ装置に転送して記憶させる出力ステップとをコンピュータに実行させることを特徴とする。
【００１４】
請求項８記載の発明は、外部装置を接続可能な接続手段を備えた電子機器に内蔵されたコンピュータが実行するプログラムであって、上記接続手段に識別情報を記憶した外部メモリ装置が接続されたことを判断する判断ステップと、上記判断ステップで上記外部メモリ装置が接続されたと判断した場合に、予め記憶していた当該機器の機種に対応した検査用プログラムを読出し、読出した検査用プログラムを実行して検査結果データと当該機器個体の誤差を補正するキャリブレーションデータとを取得する検査ステップと、上記検査ステップで取得した検査結果データとキャリブレーションデータとを関連付け、上記接続手段を介して上記外部メモリ装置に転送して記憶させる出力ステップとをコンピュータに実行させることを特徴とする。
【発明の効果】
【００１５】
本発明によれば、検査の結果得られる詳細な内容を確実且つ簡易に回収して後日活用することが可能となる。
【発明を実施するための最良の形態】
【００１６】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置を検査するための検査システムに適用した場合の一実施形態について図面を参照して説明する。
【００１７】
図１は、同実施形態に係るシステムで被検査対象となるデータプロジェクタ装置１０側の電子回路の機能構成を示すものである。  
同図で、入力コネクタ部１１より入力される各種規格の画像信号が、入力インタフェース（Ｉ／Ｆ）１２、システムバスＳＢを介して画像変換部１３で所定のフォーマットの画像信号に統一された後に、投影駆動部１４へ送られる。
【００１８】
この際、ＯＳＤ（Ｏｎ  Ｓｃｒｅｅｎ  Ｄｉｓｐｌａｙ）用のモード画像やポインタ等の記号も必要に応じて画像信号上に重畳加工された状態で投影駆動部１４へ送られる。
【００１９】
投影駆動部１４は、送られてきた画像信号をビデオＲＡＭ１５に展開して記憶させた上でこのビデオＲＡＭ１５の記憶内容からビデオ信号を生成する。投影駆動部１４は、このビデオ信号のフレームレート、例えば６０［フレーム／秒］と色成分の分割数、及び表示階調数を乗算した、より高速な時分割駆動により、空間的光変調素子（ＳＯＭ）である例えばマイクロミラー素子１６を表示駆動する。
【００２０】
一方、リフレクタ１７内に配置された、例えば超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００２１】
しかして、マイクロミラー素子１６での反射光で光像が形成され、形成された光像が光学レンズユニット２２を介して、投影対象となるここでは図示しないスクリーンに投影表示される。
【００２２】
光学レンズユニット２２は、マイクロミラー素子１６で形成された光像を拡大してスクリーン等の対象に投影するものであり、合焦位置及びズーム位置（投影画角）を任意に可変できるものとする。
【００２３】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００２４】
また、上記カラーホイール１９の回転位相を検出するためのポジションセンサ２４がカラーホイール１９の回転周端部に対向して設けられる。さらに、上記カラーホイール１９を回転させるモータ（Ｍ）２５が設けられる。
【００２５】
しかるに、上記光源ランプ１８の点灯駆動、上記カラーホイール１９用のモータ２５の回転駆動、及び上記ステッピングモータ２３の回動駆動をいずれも投影光処理部２６が実行する。
【００２６】
この投影光処理部２６はまた、リフレクタ１７に取付けられて光源ランプ１８の温度を検出する温度センサ２７からの温度データを入力する。
【００２７】
上記各回路の動作すべてをＣＰＵ２８が制御する。このＣＰＵ２８は、動作プログラムや各種定型データ等を記憶した不揮発性メモリでなるプログラムメモリ２９、ＲＡＭでなるメインメモリ３０を用いてこのデータプロジェクタ装置１０内の制御動作を実行する。
【００２８】
上記ＣＰＵ２８にはさらに、上記システムバスＳＢを介してキースイッチ部３１、ＵＳＢインタフェース（Ｉ／Ｆ）３２、表示部３３、加速度センサ３４、及び音声処理部３５が接続される。
【００２９】
キースイッチ部３１は、例えば電源キー、ズームキー、フォーカスキー、入力選択キー、「Ｍｏｄｅ」キー、カーソル（「↑」「↓」「←」「→」）キー、「Ｅｎｔｅｒ」キー、「Ｃａｎｃｅｌ」キー等からなる。
【００３０】
これらキースイッチ部３１でユーザが任意のキー操作を行なうと、そのキー操作に応じた操作信号がＣＰＵ２８へ入力され、ＣＰＵ２８はキースイッチ部３１からの入力に応じて制御動作を実行する。
【００３１】
ＵＳＢ（Ｕｎｉｖｅｒｓａｌ  Ｓｅｒｉａｌ  Ｂｕｓ）インタフェース３２は、ＵＳＢコネクタ３６を介して接続される外部機器との間の送受を制御するもので、上記入力コネクタ部１１に代わって外部機器からＵＳＢコネクタ３６を介して画像信号が入力される場合もあり得る。
【００３２】
表示部３３は、例えばバックライト付きのモノクロ液晶パネルとそれらの駆動回路とからなり、ＣＰＵ２８の制御の下に動作状態に対応した各種インジケータ表示やガイドメッセージ等を表示する。
【００３３】
加速度センサ３４は、例えば３軸加速度センサで構成され、このデータプロジェクタ装置１０の設置姿勢、角度等を検知するもので、この加速度センサ３４の出力により、ＣＰＵ２８はデータプロジェクタ装置１０が平置き／縦置きのいずれであるか、設置の傾斜角度がどの程度であるかをＣＰＵ２８で把握することができる。
【００３４】
音声処理部３５は、ＰＣＭ音源等の音源回路を備え、投影動作時に与えられる音声データをアナログ化し、データプロジェクタ装置１０の本体ケーシングの例えば背面に設けられるスピーカ３７を駆動して拡声放音させ、あるいは必要によりビープ音等を発生させる。
【００３５】
図２は、同実施形態に係るシステムで検査結果を格納するＵＳＢフラッシュメモリ４０の回路構成を示すものである。上記データプロジェクタ装置１０のＵＳＢコネクタ３６にこのＵＳＢフラッシュメモリ４０を接続することで、データプロジェクタ装置１０がＵＳＢフラッシュメモリ４０から読込む検査プログラムにしたがって検査を実行し、検査結果をＵＳＢフラッシュメモリ４０に転送して格納する。
【００３６】
図２で、上記ＵＳＢコネクタ３６と接続されるＵＳＢコネクタ４１を介して、コントローラ４２が設けられる。このコントローラ４２は、ＵＳＢフラッシュメモリ４０全体の動作制御を行なうもので、フラッシュメモリチップ４３及びインジケータ部４４を接続している。
【００３７】
フラッシュメモリチップ４３は、データブロック単位で電気的にデータ内容が書換可能なＲＯＭのチップであり、検査プログラムと合わせて、この検査プログラムの実行によって取得される、後述するデータプロジェクタ装置１０の検査結果データを複数台分記憶する。
【００３８】
インジケータ部４４は、例えばＬＥＤでなり、このＵＳＢフラッシュメモリ４０を他の機器に接続している状態やデータアクセス状態等に対応した点灯色／点滅パターンで点灯／点滅発光する。
【００３９】
図３は、上記ＵＳＢフラッシュメモリ４０のフラッシュメモリチップ４３内に検査プログラムと共に記憶される、多数の検査結果の格納フォーマットのうちの１つを例示するものである。
【００４０】
同図に示す如く、被検査対象であるデータプロジェクタ装置１０のシリアルナンバーと、プログラムメモリ２９を構成するＲＯＭのバージョン情報、検査プログラムにしたがって実行した検査結果、及び各種キャリブレーション（誤差補正）の実行に基づくキャリブレーション結果を１回分のデータとしてフォーマット化して、フラッシュメモリチップ４３に格納する。
【００４１】
フラッシュメモリチップ４３は、その容量に応じて複数台、例えば数千台もしくはそれ以上のオーダーのデータを格納できる。例えばフラッシュメモリチップ４３の記憶容量が１Ｇ(ギガ)バイト、検査プログラムのデータ容量が２Ｍ(メガ)バイト、被検査対象であるデータプロジェクタ装置１０検査データの容量が１台分当たり１００Ｋ(キロ)バイト程度であったとすると、フラッシュメモリチップ４３には１万台分以上の検査データを格納することができる。
【００４２】
次に上記実施形態の動作について説明する。  
図４は、被検査対象であるデータプロジェクタ装置１０側のＣＰＵ２８が、接続するＵＳＢフラッシュメモリ４０のフラッシュメモリチップ４３側に記憶されている検査用の制御プログラムを読出して実行する、検査に関する処理内容を示すフローチャートである。
【００４３】
その当初には、ＵＳＢコネクタ３６に何らかの外部機器が接続されたか否かを繰返し判断することで、ＵＳＢコネクタ３６への接続があるのを待機する（ステップＳ０１）。
【００４４】
ＵＳＢコネクタ３６への接続があった場合、それを上記ステップＳ０１で判断すると、次いで、接続されたＵＳＢ機がこのデータプロジェクタ装置１０を被検査対象として検査を行なうためのＵＳＢフラッシュメモリ４０であるか否かを判断する（ステップＳ０２）。
【００４５】
ここでは、ＵＳＢフラッシュメモリ４０が所定の検査プログラムを記憶しているか否かによりＵＳＢフラッシュメモリ４０が検査用のものであることであることを判断するものとする。
【００４６】
ここで、接続された外部機器が検査用のＵＳＢフラッシュメモリ４０ではないと判断した場合には、その機器に応じた他の処理を実行するものであるが、本実施形態ではその説明について省略するものとする。
【００４７】
一方で、上記ステップＳ０２でＵＳＢコネクタ３６に接続されたのが検査用のＵＳＢフラッシュメモリ４０であると判断した場合には、次にその接続されたＵＳＢフラッシュメモリ４０の空き容量をチェックした上で（ステップＳ０３）、その空き容量を、予め設定されている標準的な検査データの記憶容量と比較することにより、必要な空き容量が確保されているか否かを判断する（ステップＳ０４）。
【００４８】
ここで必要な空き容量が確保されていることを確認すると、次いでＵＳＢフラッシュメモリ４０のフラッシュメモリチップ４３から検査用プログラムを読出し、コントローラ４２、ＵＳＢコネクタ４１からＵＳＢコネクタ３６、ＵＳＢインタフェース３２を介してメインメモリ３０に展開して起動する（ステップＳ０５）。
【００４９】
当該検査プログラムにおいては、その当初に、検査プログラムにしたがったメニュー操作をオペレータ（検査員）が実行することで、このデータプロジェクタ装置１０のプログラムメモリ２９内に固定記憶されているシリアルナンバーが自動的に入力されるものとなる（ステップＳ０６）。
【００５０】
その後、検査プログラムにしたがって順次オペレータ（検査員）がメニュー操作を行ないながら、一連の各種検査とキャリブレーション調整とを実行し、その検査結果及び、キャリブレーションデータを取得していく（ステップＳ０７）。
【００５１】
ここで検査としては、例えばフラッシュメモリなどの不揮発性メモリであるプログラムメモリ２９のチェック、ＲＡＭであるメインメモリ３０のチェック、キースイッチ部３１を構成する各種操作キーのチェック、上記図１では示さなかった光源ランプ１８用の冷却ファン系統のチェック、表示部３３での表示内容のチェック、‥‥を行ない、その結果が「ＯＫ」であれば「０(ゼロ)」が、「ＮＧ」であればその原因がわかるようなコード情報が割り当てられるようになる。
【００５２】
また、キャリブレーション調整としては、例えばマイクロミラー素子１６で構成するＲＧＢ各原色成分毎の画像の階調調整、データプロジェクタ装置１０の姿勢角度を検出する加速度センサ３４のオフセット値の取得、カラーホイール１９の回転位置を検出するポジションセンサ２４の出力に基づいたインデックス・ディレイ調整等を行なう。
【００５３】
このうちインデックス・ディレイ調整について詳述する。カラーホイール１９の回転位置を検出するポジションセンサ２４のばらつきは、そのままデータプロジェクタ装置１０としての画像描写能力の差に直結する。
【００５４】
そのため、ポジションセンサ２４が出力する、カラーホイール１９が所定の回転角度となったことを示すインデックス信号が検出されてから、１カラー画像を構成するＲＧＢのシーケンスを開始するまでのディレイ時間を調整動作により決定するものである。
【００５５】
具体的な調整動作としては、プログラムメモリ２９に内蔵されたＲＧＢ６４階調のテストパターンチャートを投影し、全ての階調が視認できるようなディレイ時間を調整により取得するものとなる。
【００５６】
しかして、各種検査及びキャリブレーション調整の結果取得したデータをＵＳＢコネクタ３６を介してＵＳＢフラッシュメモリ４０側に転送して記憶させるのに当たり、上記ステップＳ０６で入力した当該データプロジェクタ装置１０のシリアルナンバーと同一のシリアルナンバーを有するファイル名のデータファイルがＵＳＢフラッシュメモリ４０側に記憶されているか否かを判断する（ステップＳ０８）。
【００５７】
ここで同一のシリアルナンバーを有するファイル名のデータファイルがないと判断した場合には、あらためて上記図３で示した検査データとキャリブレーションデータとをシリアルナンバーをファイル名に含ませて上記図３で示したフォーマットでデータファイル化した上で、ＵＳＢコネクタ３６を介してＵＳＢフラッシュメモリ４０側に転送し、ＵＳＢフラッシュメモリ４０内のフラッシュメモリチップ４３に新規に格納させた後（ステップＳ０９）、再び次の検査に備えて上記ステップＳ０１からの処理に戻る。
【００５８】
上記のようにデータファイルを作成するに当たっては、データプロジェクタ装置１０の機器個体のシリアルナンバーをファイル名に含ませることにより、ファイル名を見ればどの個体のデータが入っているのかを容易に把握できる。
【００５９】
また、上記ステップＳ０８で同一のシリアルナンバーを有するファイル名のデータファイルがあると判断した場合には、すでに当該個体の検査データのファイルが格納されていることになるので、すでにあるデータファイルに新しいデータとして今回の検査結果及びキャリブレーション結果を追加するよう、ＵＳＢコネクタ３６を介してＵＳＢフラッシュメモリ４０側のデータを書換える（ステップＳ１０）。
【００６０】
この際、すでにあるデータは新しいデータで上書きせず、必ず残るように新しいデータを格納させるものとする。  
こうして同一ファイル名のデータファイルに今回の検査及びキャリブレーションの結果を追記設定した後、再び次の検査に備えて上記ステップＳ０１からの処理に戻る。
【００６１】
なお、上記ステップＳ０４でＵＳＢフラッシュメモリ４０のフラッシュメモリチップ４３に必要な空き容量が確保されておらず、あらたに検査のデータファイルを格納することができないと判断した場合には、ＵＳＢフラッシュメモリ４０の記憶容量が不足している旨をデータプロジェクタ装置１０の表示部３３にてガイドメッセージ表示した上で（ステップＳ１１）、他の空き容量が確保されているＵＳＢフラッシュメモリ４０への交換が行われることを期して、上記ステップＳ０１からの処理に戻る。
【００６２】
このとき併せて、接続されているＵＳＢフラッシュメモリ４０では、インジケータ部４４で、例えば赤色の非常に短い時間周期での点滅を連続して実行することにより、ＵＳＢフラッシュメモリ４０の交換を、検査を実施するオペレータ（検査員）に対して視覚的に促すようにしても良い。
【００６３】
このように本実施形態では、ＵＳＢフラッシュメモリ４０をデータプロジェクタ装置１０のＵＳＢコネクタ３６に接続して、以後自動的に実行される検査プログラムの指示通りに必要なキー操作をキースイッチ部３１で行なうだけで、装置の検査とキャリブレーションの調整を実施すると共に、それらの結果を一括してＵＳＢフラッシュメモリ４０側に格納する。  
したがって、検査等の結果得られる詳細な内容を確実且つ簡易に回収して後日活用することが可能となる。
【００６４】
なお、上記実施形態では、検査を実施するオペレータ（検査員）が所持するＵＳＢフラッシュメモリ４０側に検査プログラムを記憶させておき、同じＵＳＢフラッシュメモリ４０の結果結果のデータファイルを格納するものとした。
【００６５】
これにより、データプロジェクタ装置１０を購入して使用するエンドユーザが誤って検査プログラムを起動してしまうような事態を確実に防止することができる。
【００６６】
また、上記実施形態とは異なり、被検査対象であるデータプロジェクタ装置１０の側、具体的には動作プログラム等を記憶するプログラムメモリ２９に合わせて検査プログラムも記憶させるものとしてもよい。
【００６７】
その場合、ＵＳＢフラッシュメモリ４０側にはデータプロジェクタ装置１０で認識可能な特定の識別データを記憶させておき、ＵＳＢフラッシュメモリ４０をデータプロジェクタ装置１０のＵＳＢコネクタ３６に接続した際に、ＵＳＢフラッシュメモリ４０に記憶させた特定の識別コードを認識した時点で、プログラムメモリ２９に記憶している検査プログラムを起動して検査を実行する。検査等の結果取得される検査データ及びキャリブレーションデータは、ＵＳＢフラッシュメモリ４０のフラッシュメモリチップ４３に格納される。
【００６８】
このように被検査対象であるデータプロジェクタ装置１０の側に検査プログラムを記憶させておくことにより、データプロジェクタ装置１０は検査用の外部メモリ装置であることを示す識別コードを除くと検査結果のデータファイルのみを格納することになるので、その記憶容量を有効に活用して、より多くの検査結果のデータファイルを格納することができる。
【００６９】
なお、上記実施形態では、被検査対象となる電子機器の一例としてＤＬＰ（登録商標）方式のデータプロジェクタ装置１０に適用した場合について説明したが、本発明はこれに限らず、例えば工場出荷前に検査やキャリブレーションが必要な全ての電子機器に適用可能であることは勿論である。
【００７０】
さらに、上記実施形態では、被検査対象であるデータプロジェクタ装置１０とＵＳＢコネクを用いて接続するＵＳＢフラッシュメモリ４０に検査結果のデータファイルを格納するものとして説明したが、その接続手段についても本発明は限定するものではなく、他にもＩＥＥＥ１３９４端子を用いるもの、あるいはＩＥＥＥ８０２．１１規格やＢｌｕｅｔｏｏｔｈ（登録商標）等に基づく無線ＬＡＮ技術による無線接続を行なうものでも同様に適用することができる。
【００７１】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００７２】
【図１】本発明の一実施形態に係る被検査対象であるデータプロジェクタ装置の回路構成を示すブロック図。
【図２】同実施形態に係る検査結果を回収するＵＳＢフラッシュメモリの回路構成を示すブロック図。
【図３】同実施形態に係る被検査対象１台分の検査結果の格納フォーマットの一例を示す図。
【図４】同実施形態に係る検査の処理内容を示すフローチャート。
【符号の説明】
【００７３】
１０…データプロジェクタ装置、１１…入力コネクタ部、１２…入力インタフェース（Ｉ／Ｆ）、１３…画像変換部、１４…投影駆動部、１５…ビデオＲＡＭ、１６…マイクロミラー素子、１７…リフレクタ、１８…光源ランプ、１９…カラーホイール、２０…インテグレータ、２１…ミラー、２２…光学レンズユニット、２３…ステッピングモータ（Ｍ）、２４…ポジションセンサ、２５…モータ（Ｍ）、２６…投影光処理部、２７…温度センサ、２８…ＣＰＵ、２９…プログラムメモリ、３０…メインメモリ、３１…キースイッチ部、３２…ＵＳＢインタフェース（Ｉ／Ｆ）、３３…表示部、３４…加速度センサ、３５…音声処理部、３６…ＵＳＢコネクタ、３７…スピーカ、４０…ＵＳＢフラッシュメモリ、４１…ＵＳＢコネクタ、４２…コントローラ、４３…フラッシュメモリチップ、４４…インジケータ部、ＳＢ…システムバス。
【図１】
2008275472.tif 000003
【図２】
2008275472.tif 000004
【図３】
2008275472.tif 000005
【図４】
2008275472.tif 000006